(57)【要約】【目的】人体の全身を洗浄するための容器を提供する。【構成】人体を洗浄する洗浄容器において、上面がない略直方体形状に整形されたプラスチック台とこのプラスチック台の内面を覆うカバーシートで構成されることに加えて、前記カバーシートに排水ホースが接続されていることを特徴とする洗浄容器。【選択図】図１
2004195169.tif 000002
【特許請求の範囲】
【請求項１】
人体を洗浄する洗浄容器において、上面がない略直方体形状に整形されたプラスチック台とこのプラスチック台の内面を覆うカバーシートで構成されることに加えて、前記カバーシートに排水ホースが接続されていることを特徴とする洗浄容器。
【請求項２】
請求項１の洗浄容器において、前記プラスチック台に伸縮自在棒が取りつけられていて、前記伸縮自在棒の端部に前記カバーシートを掛けてカバーシートを高い位置に保持することを特徴とする洗浄容器。
【請求項３】
請求項１または２の洗浄容器において、温水シャワーとこの温水シャワーからの噴出水と前記人体からの汚物の両方を貯めるための汚水タンクを備えていることを特徴とする洗浄容器。
【請求項４】
請求項３の洗浄容器において、前記カバーシートが前記汚水タンクに収納されることを特徴とする洗浄容器。
【請求項５】
請求項１から４のいずれかの洗浄容器において、前記プラスチック台に車輪が取りつけられていることを特徴とする洗浄容器。
【請求項６】
請求項１から５のいずれかの洗浄容器において、前記プラスチック台に運搬用の担ぎ棒が備えられていることを特徴とする洗浄容器。
【請求項７】
請求項６の洗浄容器において、前記担ぎ棒が着脱可能であることを特徴とする洗浄容器。
【発明の詳細な説明】
【０００１】
【産業上の利用分野】
本発明は人体の洗浄容器に関するものである。
【０００２】
【従来の技術】交通事故や家庭など様々な状況で怪我をした人は血や泥などの周辺物にまみれて凄惨な状況になっている。また事故のショックで失禁している場合も少なくない。怪我の治療のためには汚れた衣服を脱がせて人体の洗浄を速やかに行う必要があるが、適当な処置室が都合良く近場にない場合も多く、処置に困っているのが現状である。人命優先の精神で、事後のことを考えずに民家の室内を借りて洗浄を行う場合もあるが、事後の処置が大変であるとともに事後のことを考えて民家の家主が承諾しかねることも少なくない。また、このように瀕死の場合だけでなく、やや軽症の場合やすでに死亡してしまっている場合には緊急性が乏しくなる分、事後を考えない処置を行うことは難しい。死亡してしまっている人体においても家族が現場に掛けつける前に人体の洗浄を済ませておいてあげられれば、家族の精神的なショックをやわらげられる場合が多いので必要に応じて現場での人体の全身洗浄を行っておきたいところである。このように人体の全身洗浄を特定の施設外で行うことは従来困難であった。
【公知の従来技術】特開平１１−２０６７７２、特開２００１−２９９６２９、特願平１１−１８８０５９
【０００３】
【発明が解決しようとする課題】従来の全身洗浄についての課題を解決すべく様々なアイディアが考案された。特開平１１−２０６７７２の洗浄解剖室では感染症で死亡した患者の洗浄を行うための施設に関する技術を提案している。しかしながら、この技術は大掛かりで様々な現場に持ち込む事はできない。一方、特開２００１−２９９６２９の身体洗浄手袋においては手袋についての技術が提案されている。しかしながら、これは介護者や作業者が自身の手の汚染等を防ぐためのものであるので、作業室内の汚染等を防ぐことはできない。特願平１１−１８８０５９の簡易入浴装置では袋状になっていて作業の手を入れる箇所が限られているので作業性が悪い。以上のように従来の技術では様々な現場でその作業室内を汚さずに患者や死亡者の全身を洗浄する簡便な器具や技術がなかった。
【０００４】
【課題を解決するための手段】本発明の洗浄容器は、人体を洗浄する洗浄容器において上面がない略直方体形状に整形されたプラスチック台とこのプラスチック台の内面を覆うカバーシートで構成されることに加えて、前記カバーシートに排水ホースが接続されていることを第１の特徴とし、
第２に、第１の特徴に加えて前記プラスチック台に伸縮自在棒が取りつけられていて、前記伸縮自在棒の端部に前記カバーシートを掛けてカバーシートを高い位置に保持することを、
第３に、第１または第２の特徴に加えて温水シャワーとこの温水シャワーからの噴出水と前記人体からの汚物の両方を貯めるための汚水タンクを備えていることを、
第４に、第３の特徴に加えて前記カバーシートが前記汚水タンクに収納されることを、
第５に、第１から第４のいずれかの特徴に加えて、前記プラスチック台に車輪が取りつけられていることを、
第６に、第１から第５のいずれかの特徴に加えて、前記プラスチック台に運搬用の担ぎ棒が備えられていることを、
第７に、第６の特徴に加えて、前記担ぎ棒が着脱可能であることを特徴とする。
【０００５】
【発明の実施の形態】本発明の洗浄容器において、人体を洗浄する洗浄容器において上面がない略直方体形状に整形されたプラスチック台とこのプラスチック台の内面を覆うカバーシートで構成されることに加えて、前記カバーシートに排水ホースが接続されている第１の特徴を備える場合には、前記カバーシートの形状が前記プラスチック台によって成型されて人体を洗浄する際の水しぶきを外部にもらさずに済ませられる。汚水はカバーシートの内側および排水ホースの内側を伝って、所定のポリタンクまたは流しに排水できるようにカバーシートと一体となる排水ホースが取り付けてある。本プラスチック台は人体洗浄用であるのでその内側の長さが２メートル、幅は７０ｃｍであり、略長方形状の側面の高さは内面の底から計測して２０ｃｍである。
第２に、第１の特徴に加えて前記プラスチック台に伸縮自在棒が取りつけられていて、前記伸縮自在棒の端部に前記カバーシートを掛けてカバーシートを高い位置に保持することを特徴とする場合には、運搬時には縮めておいた自在棒を必要に応じて伸ばしてその先端にカバーシートを掛けることでカバーシートを高い位置にしたい部分だけ高くして、作業のしやすさと水しぶきの飛散防止を両立できる。
第３に、第１または第２の特徴に加えて温水シャワーとこの温水シャワーからの噴出水と前記人体からの汚物の両方を貯めるための汚水タンクを備えていることを特徴とする場合には汚水を外部に放出することなく持ち帰り、適切な場所で処理することができる。汚物も回収できるように広口の容器にしておく。
第４に、第３の特徴に加えて前記カバーシートが前記汚水タンクに収納されることを特徴とする場合には、汚水がしたたり落ちそうなカバーシートや排水ホースといった汚染された器具を前記汚水タンクと一体となって収納することで、汚れ物が１つになって管理がしやすくなる。
第５に、第１から第４のいずれかの特徴に加えて、前記プラスチック台に車輪が取りつけられていることを特徴とする場合には、人体を現場から作業スペースに運搬するための台としても利用できる。
第６に、第１から第５のいずれかの特徴に加えて、前記プラスチック台に運搬用の担ぎ棒が備えられていることを特徴とする場合には、担架の担ぎ棒と同様の棒を備えているので容器自身の運搬およびこの容器に人体を載せて運搬する際に、前記プラスチック台の前後に担ぎ手が立ち、この棒を担ぎ手が持って運搬する。
第７に、第６の特徴に加えて、前記担ぎ棒が着脱可能であることを特徴とする場合には、運搬を行わない場合には担ぎ棒を外して全長を短くしておく。
【０００６】
【実施例】本発明の実施例１を説明する。図１にその構成を示す。カバーシート１には内径８０ｍｍで長さが１ｍの排水ホース２が取り付けてある。前記カバーシートは上面がない略直方体形状をしており、長さは２メートル、幅は７０ｃｍで側面の高さは２０ｃｍである。排水ホースは側面に取りつけられている。このカバーシートをプラスチック台３の内側に置いて人体洗浄作業を行う。前期プラスチック台はその内側の長さが２メートル、幅は７０ｃｍであり、略長方形状の側面の高さは内面の底から計測して２０ｃｍである。シャワー等で洗浄水を降り掛けながら人体を洗っていく。この際、体内の汚物は押して出して、そのまま排水ホースから流しだしてしまう。この排水ホースの先にはポリタンクを置いておいて汚水と汚物を貯める場合もある。貯めた汚物は適切な場所で処理する。例えば殺菌を行なってから下水に流す。
【０００７】本発明の実施例２を説明する。図２にその構成を示す。図１と同様に人体の全身を洗浄する例である。自宅で療養中に亡くなった人をその寝室で洗浄する場合に用いる洗浄容器の例である。死亡後は糞尿等で身体が汚れているので全身を洗浄してあげる必要がある。寝室のベッドの上にこの洗浄容器を置いて、部屋を汚さないように身体を洗浄する。人体１００を温水シャワー２００で洗浄する。作業者は一人である。温水シャワーの向きに応じて伸縮自在棒４を伸ばしてカバーシート１を高く持ち上げる。このようにして洗浄する。排水ホース２の先にはポリ容器を設置しておく。
【０００８】本発明の実施例３を説明する。図３にその構成を示す。汚水と糞尿等を貯めるためのポリ容器５の上部に気密性の容器を装着してある。この上部の領域は汚れたカバーシート１を持ち帰るための容器であり、汚物収納室６と呼ぶ。汚水、糞尿、汚れたカバーシートを１つの気密容器の中に入れて持ち帰ることで汚物の管理が一元管理できる。尚、前記ポリ容器の蓋は閉めて運搬する。この汚物収納室の中に汚れた手袋などを入れて持ち帰る場合もある。
【０００９】本発明の実施例４について図を用いづに説明する。車輪が付いたプラスチック台を具備した洗浄容器の例である。この洗浄容器は化学薬品で火傷を負った患者に洗浄水を浴びせながら治療現場に使用する場合に用いることがある。流れた化学薬品による二次被害を防止する目的で排水は排水ホースの先端に取りつけたポリ容器で回収する。
【００１０】本発明の実施例５について図４を用いて説明する。図４は担架のように２人の担ぎ手が洗浄容器の前後に立ち、担ぎ棒７を担いで自由に運搬できるプラスチック台３’の例である。この担ぎ棒はアルミパイプ製で軽量に配慮されている。担ぎ棒が着脱可能である場合もある。着脱可能な例の中で、担ぎ棒のねじ込み口が図４に示すように担架の担ぎ棒のようになる位置に取り付けられていることに加えて底面四隅にもねじ込み口が用意されている場合がある。この場合にはプラスチック台が足つきテーブルのように前記担ぎ棒の分だけ高くなるように設置することができる。このように着脱可能な担ぎ棒を備える事で運搬時には担架のように横方向に取り付けて、設置時には下面にテーブルの足のように取り付ける場合がある。
【００１１】
【発明の効果】
本発明の洗浄容器を用いると室内を汚さずに簡便に人体の全身を洗浄できる。自宅で亡くなられた方の洗浄など、様々な現場での洗浄作業に使用できる。
【図面の簡単な説明】
【図１】本発明の実施例１を示す構成図である。
【図２】本発明の実施例２を示す構成図である。
【図３】本発明の実施例３を示す構成図である。
【図４】本発明の実施例５を示す構成図である。
【符号】１はカバーシート、２は排水ホース、３と３’はプラスチック台、４は伸縮自在棒、５はポリ容器、６は汚物収納室、７は担ぎ棒、１００は人体、２００は温水シャワーである。
【図１】
2004195169.tif 000003
【図２】
2004195169.tif 000004
【図３】
2004195169.tif 000005
【図４】
2004195169.tif 000006